(57)【要約】【課題】  正確に原稿を置く手間を省くことができる画像読取装置を提供する。【解決手段】  圧力センサ５０は、オートドキュメントフィーダ部が原稿載置部のコンタクトガラスに対して閉じられたとき、コンタクトガラスに載置されている原稿からの圧力を検出し、原稿範囲特定部８１は、圧力センサ５０によって検出された原稿からの圧力に基づいてコンタクトガラスにおける原稿範囲を特定し、位置情報解析部８４は、原稿範囲特定部８１によって特定された原稿範囲に基づいて当該原稿のコンタクトガラスにおける位置情報を解析し、斜行補正部４１は、位置情報解析部８４によって解析された原稿の位置情報から、画像データ取得部１０によって取得された画像データの原稿範囲に相当する原稿範囲画像を印字可能な位置に補正する。【選択図】      図５
2005277824.tif 000002
【特許請求の範囲】
【請求項１】
原稿を載置する原稿載置台と、前記原稿載置台に対し開閉自在に取り付けられた原稿カバーと、画像データを取得する原稿読取手段とを備える画像読取装置であって、
前記原稿カバーが前記原稿載置台に対して閉じられたとき、前記原稿載置台に載置されている原稿からの圧力を検出する圧力センサと、
前記圧力センサによって検出された原稿からの圧力に基づいて前記原稿載置台における原稿範囲を特定する原稿範囲特定手段と、
前記原稿範囲特定手段によって特定された前記原稿範囲に基づいて当該原稿の前記原稿載置台における位置情報を解析する解析手段と、
前記解析手段によって解析された前記原稿の位置情報から、前記原稿読取手段によって取得された画像データの前記原稿範囲に相当する原稿範囲画像を印字可能な位置に補正する補正手段とを備えることを特徴とする画像読取装置。
【請求項２】
前記原稿範囲特定手段は、前記原稿載置台に載置されている原稿のサイズを、予め規定されている複数のサイズの中から特定することを特徴とする請求項１記載の画像読取装置。
【請求項３】
前記原稿載置台は、遮光性の液晶コンタクトガラス板を含み、
前記原稿範囲特定手段によって特定された前記原稿範囲から、前記液晶コンタクトガラス板の当該原稿に相当する範囲のみを透過状態にする透過手段をさらに備えることを特徴とする請求項１記載の画像読取装置。
【請求項４】
前記原稿読取手段は、前記原稿範囲特定手段によって特定された前記原稿範囲から、前記原稿載置台の当該原稿に相当する範囲のみの画像データを取得することを特徴とする請求項１記載の画像読取装置。
【請求項５】
前記圧力センサは、前記原稿カバーの前記原稿載置台に接触する面にマトリックス状に複数配置されており、
前記原稿範囲特定手段は、各圧力センサから出力される出力値に基づいて前記原稿載置台における原稿範囲を特定することを特徴とする請求項１〜４のいずれかに記載の画像読取装置。
【発明の詳細な説明】
【技術分野】
【０００１】
本発明は、画像読取装置に関し、特に、原稿載置台に載置された原稿の位置を特定する技術に関するものである。
【背景技術】
【０００２】
従来、画像形成装置の原稿載置台において、原稿を載置する場所は、原稿のサイズ等に応じて予め決められている。そのため、ユーザは、原稿を原稿載置台に載置する際に、予め決められた位置に原稿を載置しなければならない。
【０００３】
また、従来、原稿載置台のコンタクトガラス面に白色の液晶が封入された液晶パネルを設け、コンタクトガラス面の一部又は全部に白色の部分を任意に発生させ、原稿載置時に圧力センサによって原稿の領域以外の領域を検出し、原稿の領域以外の原稿載置台の領域を白色にする技術がある（例えば、特許文献１参照）。
【特許文献１】特開平８−２７４９５３号公報
【発明の開示】
【発明が解決しようとする課題】
【０００４】
しかしながら、上記従来の画像形成装置では、ユーザが原稿を予め決められた位置に載置しなかった場合、原稿載置台の全ての面をスキャンし、得られた画像データから原稿の領域を検出する必要があり、複雑な画像処理を行う必要がある。
【０００５】
また、特許文献１において、圧力センサは、ガラスと液晶パネルとに積層されて構成されると記載されているが、このように透明なシート状の圧力センサは現実には存在せず、特許文献１に記載の技術は発明として完成していない。仮に、このような圧力センサが存在するとしても、原稿載置台の全ての面をスキャンするため、原稿が無い位置に対しても光を照射し、無駄な電力を消費するとともに、光源の寿命の低下にも繋がる虞がある。
【０００６】
本発明は、上記の問題を解決するためになされたもので、正確に原稿を置く手間を省くことができる画像読取装置を提供することを目的とするものである。
【課題を解決するための手段】
【０００７】
本発明に係る画像読取装置は、原稿を載置する原稿載置台と、前記原稿載置台に対し開閉自在に取り付けられた原稿カバーと、画像データを取得する原稿読取手段とを備える画像読取装置であって、前記原稿カバーが前記原稿載置台に対して閉じられたとき、前記原稿載置台に載置されている原稿からの圧力を検出する圧力センサと、前記圧力センサによって検出された原稿からの圧力に基づいて前記原稿載置台における原稿範囲を特定する原稿範囲特定手段と、前記原稿範囲特定手段によって特定された前記原稿範囲に基づいて当該原稿の前記原稿載置台における位置情報を解析する解析手段と、前記解析手段によって解析された前記原稿の位置情報から、前記原稿読取手段によって取得された画像データの前記原稿範囲に相当する原稿範囲画像を印字可能な位置に補正する補正手段とを備える。
【０００８】
この構成によれば、圧力センサによって、原稿カバーが原稿載置台に対して閉じられたとき、原稿載置台に載置されている原稿からの圧力が検出され、原稿範囲特定手段によって、検出された原稿からの圧力に基づいて原稿載置台における原稿範囲が特定され、解析手段によって、特定された原稿範囲に基づいて当該原稿の原稿載置台における位置情報が解析される。そして、補正手段によって、解析された原稿の位置情報から、原稿読取手段によって取得された画像データの原稿範囲に相当する原稿範囲画像が印字可能な位置に補正される。
【０００９】
したがって、圧力センサによって原稿載置台における原稿の範囲が特定されるので、複雑な画像処理を必要とせず、ユーザは、原稿載置台に正確に原稿を置く手間を省くことができる。
【００１０】
また、上記の画像読取装置において、前記原稿範囲特定手段は、前記原稿載置台に載置されている原稿のサイズを、予め規定されている複数のサイズの中から特定することが好ましい。この構成によれば、原稿範囲特定手段によって、原稿載置台に載置されている原稿のサイズが、予め規定されている複数のサイズの中から特定されるので、予め規定されている複数のサイズのうちのどのようなサイズの原稿を載置したとしても正確に印字することができる。
【００１１】
また、上記の画像読取装置において、前記原稿載置台は、遮光性の液晶コンタクトガラス板を含み、前記原稿範囲特定手段によって特定された前記原稿範囲から、前記液晶コンタクトガラス板の当該原稿に相当する範囲のみを透過状態にする透過手段をさらに備えることが好ましい。
【００１２】
この構成によれば、遮光性の液晶コンタクトガラス板の当該原稿に相当する範囲のみが透過状態にされるので、原稿のみにスキャン光を照射することができ、スキャン光による眩しさを低減することができる。
【００１３】
また、上記の画像読取装置において、前記原稿読取手段は、前記原稿範囲特定手段によって特定された前記原稿範囲から、前記原稿載置台の当該原稿に相当する範囲のみの画像データを取得することが好ましい。
【００１４】
この構成によれば、原稿載置台の当該原稿に相当する範囲のみの画像データが取得されるので、スキャン光が原稿を含む範囲のみに照射され、原稿載置台の全ての面にスキャン光を照射するよりもスキャン光に要する消費電力を削減することができ、スキャン光を照射する光源の長寿命化を実現することができる。
【００１５】
また、上記の画像読取装置において、前記圧力センサは、前記原稿カバーの前記原稿載置台に接触する面にマトリックス状に複数配置されており、前記原稿範囲特定手段は、各圧力センサから出力される出力値に基づいて前記原稿載置台における原稿範囲を特定することが好ましい。
【００１６】
この構成によれば、圧力センサが、原稿カバーの原稿載置台に接触する面にマトリックス状に複数配置されており、原稿範囲特定手段によって、各圧力センサから出力される出力値に基づいて原稿載置台における原稿範囲が特定される。したがって、原稿載置台における原稿から受ける圧力に応じた出力値が複数の圧力センサによって検出され、各圧力センサからの出力値に基づいて原稿載置台における原稿範囲を特定することができる。
【発明の効果】
【００１７】
請求項１に記載の発明によれば、圧力センサによって原稿載置台における原稿の範囲が特定されるので、複雑な画像処理を必要とせず、ユーザは、原稿載置台に正確に原稿を置く手間を省くことができる。
【００１８】
請求項２に記載の発明によれば、原稿範囲特定手段によって、原稿載置台に載置されている原稿のサイズが、予め規定されている複数のサイズの中から特定されるので、予め規定されている複数のサイズのうちのどのようなサイズの原稿を載置したとしても正確に印字することができる。
【００１９】
請求項３に記載の発明によれば、遮光性の液晶コンタクトガラス板の当該原稿に相当する範囲のみが透過状態にされるので、原稿のみにスキャン光を照射することができ、スキャン光による眩しさを低減することができる。
【００２０】
請求項４に記載の発明によれば、原稿載置台の当該原稿に相当する範囲のみの画像データが取得されるので、スキャン光が原稿を含む範囲のみに照射され、原稿載置台の全ての面にスキャン光を照射するよりもスキャン光に要する消費電力を削減することができ、スキャン光を照射する光源の長寿命化を実現することができる。
【００２１】
請求項５に記載の発明によれば、原稿載置台における原稿から受ける圧力に応じた出力値が複数の圧力センサによって検出され、各圧力センサからの出力値に基づいて原稿載置台における原稿範囲を特定することができる。
【発明を実施するための最良の形態】
【００２２】
以下、本発明の一実施の形態による原稿読取装置について図面を参照しながら説明する。
【００２３】
（第１の実施形態）
図１は、本発明にかかる画像読取装置を画像形成装置に適用したときの、画像形成装置の外観斜視図を示している。図１に示すように画像形成装置は、本体部２００と、本体部２００の上側に配設された原稿読み取り部１００と、本体部２００の側面に配設された用紙後処理部３００と、原稿読み取り部１００の前面に配設された操作パネル部４００とを備えている。
【００２４】
原稿読み取り部１００は、読み取り対象の原稿が載置される原稿載置部１２０と、原稿載置部１２０に対して、矢符Ａで示す方向に開閉自在に取り付けられたオートドキュメントフィーダ部１１０（原稿カバー）とを備えている。
【００２５】
操作パネル部４００は、原稿読み取り動作を開始させるスタートキー及びテンキー等を備える操作キー部４０１と、種々の操作画面を表示すると共に、ユーザが種々の操作指令を入力するための種々の操作ボタン等が表示されたタッチパネル４０２とを備えている。本体部２００の下部には、記録紙が収納される３つの給紙カセット２０１が配設されている。
【００２６】
図２は、図１に示す画像形成装置の内部構成図を示している。オートドキュメントフィーダ部１１０は、複数枚の原稿Ｐが載置可能な原稿トレイ１１１と、載置された原稿Ｐを１枚ずつピックアップする給紙ローラ対１１２と、ピックアップされた原稿Ｐを原稿読取位置ＲＰまで搬送し、かつ、原稿Ｐの斜め送りを規制して原稿先端を整えるレジストローラ対１１３と、複数の圧力センサ１１５とを備えている。レジストローラ対１１３の近傍には、原稿Ｐの画像先端の原稿読取位置ＲＰへのタイミングを決定する際に用いられるタイミングスイッチ１１４が配設されている。
【００２７】
原稿載置部１２０は、原稿読取位置ＲＰの下側に配設された光源１２１と、原稿読取位置ＲＰにおける原稿Ｐの反射光をミラー１２２、１２３、１２４及び集光レンズ１２５を介して受光する光ラインセンサ１２６とを備えている。また、原稿載置部１２０の上面には、透明かつ平板状のコンタクトガラス１２７が配設されている。
【００２８】
原稿トレイ１１１に載置された原稿Ｐを読み取る自動読み取りモードにおいては、光源１２１は、固定状態で給紙ローラ対１１２等によって１枚ずつ搬送される原稿Ｐに対し光を照射し、光ラインセンサ１２６は、その反射光を例えば１ライン単位で読み取る。コンタクトガラス１２７に載置された原稿を読み取る手動読み取りモードにおいては、光源１２１は、原稿Ｐに対し光を照射しつつ、図略のモータによる駆動力を受けて、右方向に一定速度で移動し、光ラインセンサ１２６は、その原稿Ｐからの反射光を例えば１ライン単位で読み取る。なお、光源１２１は、例えば点線で示す光源１２１´の位置まで移動すると、光の照射を停止し、図略のモータによる駆動力を受けて、左方向に一定速度で移動し、実線で示す光源１２１の位置（ホームポジション）に戻される。光ラインセンサ１２６は、例えば、ＣＣＤ（Charge Coupled Device）、又は、ＣＩＳ（Contact Image Sensor）等により構成される。
【００２９】
ここで、圧力センサ１１５について説明する。図３は、圧力センサの配置について説明するための図である。図３に示すように、オートドキュメントフィーダ部１１０の原稿載置部１２０と接触する面１１０ａにおけるコンタクトガラス１２７に対向する面１１０ｂには、複数の圧力センサ１１５がマトリックス状に配置されている。圧力センサ１１５は、例えば、歪ゲージ式の圧力センサであり、オートドキュメントフィーダ部１１０が原稿載置部１２０に対して閉じられたとき、原稿載置部１２０及び原稿載置部１２０に載置された原稿Ｐからの圧力による比抵抗変化を検出する。
【００３０】
図４は、原稿を載置してオートドキュメントフィーダ部１１０を閉じた場合のオートドキュメントフィーダ部１１０の原稿載置部１２０と接触する面を示す図である。図４に示すように、原稿Ｐがコンタクトガラス１２７上に斜めに載置され、オートドキュメントフィーダ部１１０が閉じられた場合、黒丸で示す圧力センサ１１５と白丸で示す圧力センサ１１５とでは抵抗変化が異なる。すなわち、白丸で示す圧力センサ１１５は、原稿載置部１２０のコンタクトガラス１２７から受ける圧力に加えて、原稿Ｐからの圧力をさらに受けることになる。そのため、各圧力センサ１１５からの比抵抗変化を検出することによって、原稿Ｐの範囲を特定することができる。
【００３１】
なお、本実施形態では、歪ゲージ式の圧力センサ１１５を用いているが、本発明は特にこれに限定されず、例えば、静電容量型圧力センサを用いてもよく、原稿載置部１２０のコンタクトガラス１２７に載置された原稿Ｐからの圧力を検出することが可能な他の方式の圧力センサを用いてもよい。
【００３２】
また、オートドキュメントフィーダ部１１０の原稿載置部１２０と接触する面１１０ａにおけるコンタクトガラス１２７に対向する面１１０ｂに配置される圧力センサ１１５の大きさ及び数は、図３及び図４に示す大きさ及び数に限定されず、圧力センサ１１５の大きさをより小さくし、数をより多くすると、より正確に原稿の範囲を特定することができる。
【００３３】
また、本実施形態におけるオートドキュメントフィーダ部１１０は、複数枚の原稿Ｐを１枚ずつピックアップして原稿読取位置まで搬送する機能を有する原稿カバーであるが、本発明は特にこれに限定されず、上記の機能を有しない原稿カバーであってもよい。
【００３４】
本体部２００は、複数の給紙カセット２０１、複数の給紙ローラ２０２、転写ローラ２０３、感光体ドラム２０４、現像装置２０５、露光装置２０６、定着ローラ２０８、排出口２０９及び排出トレイ２１０等を備える。
【００３５】
感光体ドラム２０４は、矢印方向に回転しながら帯電装置（図示省略）によって一様に帯電される。露光装置２０６は、光ラインセンサ１２６において読み取られた原稿の画像データに基づいて生成された変調信号をレーザ光に変換して出力し、感光体ドラム２０４に静電潜像を形成する。現像装置２０５は、トナー等の現像剤を感光体ドラム２０４に供給してトナー像を形成する。
【００３６】
一方、給紙ローラ２０２は、記録紙が収納された給紙カセット２０１から記録紙を引き出し、転写ローラ２０３まで給送する。転写ローラ２０３は、搬送された記録紙に感光体ドラム２０４上のトナー像を転写させ、定着ローラ２０８は、転写されたトナー像を加熱して記録紙に定着させる。その後、記録紙は、本体部２００の排出口２０９から用紙後処理部３００に搬入される。また、記録紙は、必要に応じて排出トレイ２１０へも排出される。
【００３７】
用紙後処理部３００は、搬入口３０１、記録紙搬送部３０２、搬出口３０３及びスタックトレイ３０４等を備える。記録紙搬送部３０２は、本体部２００の排出口２０９から搬入口３０１に搬入された記録紙を順次搬送し、最終的に搬出口３０３からスタックトレイ３０４へ記録紙を排出する。スタックトレイ３０４は、搬出口３０３から搬出された記録紙の集積枚数に応じて矢印方向に上下動可能に構成されている。
【００３８】
図５は、本発明の第１の実施形態に係る画像形成装置の電気的構成を示すブロック図である。図５に示すように、本画像形成装置は、画像データ取得部１０、Ａ／Ｄ変換部２０、画像メモリ３０、画像処理部４０、圧力センサ５０、操作部６０、印字部７０及び制御部８０を備えている。なお、本発明は、コンタクトガラス１２７に載置された原稿の読み取りに関するものであるため、以下、オートドキュメントフィーダ部１１０による原稿の読み取りに関しては説明を省略する。
【００３９】
画像データ取得部１０は、図１に示す原稿読み取り部１００から構成され、制御部８０の制御の下、スキャンにより、コンタクトガラス１２７に載置された原稿の画像データを取得する。
【００４０】
Ａ／Ｄ変換部２０は、画像データ取得部１０によって取得された原稿のアナログの画像データを例えば１画素ずつ順次読み出し、ディジタルの画像データに変換し、画像メモリ３０に順次格納していく。
【００４１】
画像メモリ３０は、ＲＡＭ等の揮発性記憶素子から構成され、後述するスキャン実行部８３の制御の下、画像データ取得部１０によって取得された画像データを記憶する。
【００４２】
画像処理部４０は、斜行補正部４１を備えている。斜行補正部４１は、画像メモリ３０に記憶されている画像データを読み出し、読み出した画像データの中から、正規の位置以外の位置に配置された原稿範囲画像を印字可能な正規の位置に移動させる。
【００４３】
圧力センサ５０は、図２及び図３に示すオートドキュメントフィーダ部１１０の原稿載置部１２０と接触する面１１０ａにおけるコンタクトガラス１２７に対向する面１１０ｂにマトリックス状に配置された複数の圧力センサ１１５で構成される。
【００４４】
操作部６０は、図１に示す操作キー部４０１及びタッチパネル４０２から構成される。印字部７０は、図２に示す転写ローラ２０３、感光体ドラム２０４、現像装置２０５及び露光装置２０６から構成され、印字制御部８５の制御の下、スキャン画像を記録紙に印字する。
【００４５】
制御部８０は、ＣＰＵ（中央演算装置）、ＲＯＭ（リードオンリーメモリ）、ＲＡＭ（ランダムアクセスメモリ）及び専用のハードウェア回路等から構成され、原稿範囲特定部８１、スキャン範囲特定部８２、スキャン実行部８３、位置情報解析部８４及び印字制御部８５を機能的に備えている。
【００４６】
原稿範囲特定部８１は、圧力センサ５０によって検出された原稿Ｐの原稿載置部１２０のコンタクトガラス１２７における原稿範囲を特定する。
【００４７】
スキャン範囲特定部８２は、原稿範囲特定部８１によって特定された原稿範囲から、画像データ取得部１０によってスキャンされる範囲を特定する。
【００４８】
スキャン実行部８３は、操作部６０がユーザによるコピー開始の操作指令を受け付けた時、画像データ取得部１０にスキャンを実行させる。
【００４９】
位置情報解析部８４は、原稿範囲特定部８１によって特定された原稿範囲に基づいて原稿Ｐのコンタクトガラス１２７における位置情報を解析する。すなわち、位置情報解析部８４は、原稿範囲特定部８１によって特定された原稿範囲に基づいてコンタクトガラス１２７における原稿Ｐの位置座標を検出し、検出された原稿Ｐの位置座標を当該原稿Ｐのコンタクトガラス１２７における位置情報とする。
【００５０】
印字制御部８５は、画像メモリ３０に記憶されているスキャン画像データを読み出し、印字部７０を駆動させ、読み出したスキャン画像データを記録紙に印字する。
【００５１】
なお、本実施形態において、原稿載置部１２０が原稿載置台の一例に相当し、オートドキュメントフィーダ部１１０が原稿カバーの一例に相当し、画像データ取得部１０が原稿読取手段の一例に相当し、原稿範囲特定部８１が原稿範囲特定手段の一例に相当し、位置情報解析部８３が解析手段の一例に相当し、斜行補正部４１が補正手段の一例に相当する。
【００５２】
次に、第１の実施形態における画像形成装置の動作について説明する。図６は、図５に示す画像形成装置の動作について説明するためのフローチャートである。
【００５３】
まず、ステップＳ１において、圧力センサ５０は、オートドキュメントフィーダ部１１０が原稿載置部１２０に対して閉じられたとき、原稿載置部１２０のコンタクトガラス１２７に載置されている原稿Ｐからの圧力を検出する。
【００５４】
次に、ステップＳ２において、原稿範囲特定部８１は、圧力センサ５０によって検出された原稿からの圧力に基づいて原稿載置部１２０のコンタクトガラス１２７における原稿範囲を特定する。具体的に、図４に示すように、圧力センサはマトリックス状に配置されており、圧力センサからは圧力に応じた電圧が出力される。そのため、原稿Ｐの圧力センサに占める割合によってその出力値が変化する。したがって、原稿範囲特定部８１は、圧力センサ５０からの出力値が入力されることによって、オートドキュメントフィーダ部１１０のコンタクトガラス１２７に対向する面１１０ｂにおける当該原稿Ｐの原稿範囲を特定することができる。なお、オートドキュメントフィーダ部１１０のコンタクトガラス１２７に対向する面１１０ｂにおける当該原稿Ｐの原稿範囲が、当該原稿Ｐの原稿載置部１２０のコンタクトガラス１２７における原稿範囲である。なお、このこのように、圧力センサ５０からの出力電圧を測定することによって、原稿Ｐがコンタクトガラス１２７に対向する面１１０ｂにおいて占める範囲（原稿範囲）を特定することができる。また、原稿範囲特定部８１は、特定された原稿範囲と、予め規定されている複数の用紙サイズ（例えば、Ａ４，Ａ３，Ｂ５，Ｂ４等）とを比較することによって、原稿のサイズを特定することができる。
【００５５】
図６に戻って、ステップＳ３において、スキャン範囲特定部８２は、原稿範囲特定部８１によって特定された原稿範囲に基づいて、光ラインセンサ１２６によってスキャンする範囲を特定する。図７は、光ラインセンサ１２６がスキャンする範囲について説明するための図である。図７に示すように、コンタクトガラス１２７上に原稿Ｐが配置されている場合、スキャン範囲特定部８２は、原稿範囲特定部８１によって特定された原稿範囲のうち、光ラインセンサ１２６の初期位置（ホームポジション）に最も近い位置Ｘ１から、光ラインセンサ１２６の初期位置から最も遠い位置Ｘ２までをスキャンする範囲として特定する。
【００５６】
図６に戻って、ステップＳ４において、操作部６０は、ユーザからコピーを開始する操作指令を受け付ける。
【００５７】
次に、ステップＳ５において、スキャン実行部８３は、画像データ取得部１０に対し、スキャン範囲特定部８２によって特定された範囲のみのスキャンを実行させる。
【００５８】
次に、ステップＳ６において、画像データ取得部１０は、スキャン範囲特定部８２によって特定された範囲のみのスキャンを実行することによって画像データを取得し、取得した画像データをＡ／Ｄ変換部２０に出力する。画像データ取得部１０によって取得された画像データは、Ａ／Ｄ変換部２０により、アナログの画像データからディジタルの画像データに変換され、画像メモリ３０に格納される。
【００５９】
次に、ステップＳ７において、位置情報解析部８４は、原稿範囲特定部８１によって特定された原稿範囲に基づいて、当該原稿の位置情報を解析する。すなわち、コンタクトガラス１２７に対向する面１１０ｂにおける長手方向をＸ軸とし、短手方向をＹ軸とすると、原稿範囲特定部８１によって特定された原稿範囲に基づいて原稿Ｐのコンタクトガラス１２７における位置座標を検出することができる。
【００６０】
次に、ステップＳ８において、斜行補正部４１は、位置情報解析部８４によって解析された原稿の位置情報から、スキャンによって取得された画像データの原稿範囲に相当する原稿範囲画像を印字可能な位置に補正する。ここで、斜行補正部４１によって行われる斜行補正について具体的に説明する。図８は、斜行補正について説明するための図である。図８に示すスキャン画像ＳＧは、画像データ取得部１０によって取得される画像データの一例を示している。適切な印字を行うためには、原稿範囲画像ＰＧを印字可能領域ＩＲに移動させる必要がある。例えば、原稿がＡ４の用紙サイズである場合、図８に示すように、斜行補正部４１は、原稿範囲画像ＰＧを構成する各画素の位置座標を印字可能領域ＩＲを構成する各画素の位置座標に変換することによって、原稿範囲画像ＰＧをＡ４の用紙サイズの印字可能領域ＩＲに移動させる。そして、斜行補正部４１は、補正した画像データを画像メモリ３０に記憶する。
【００６１】
図６に戻って、ステップＳ９において、印字制御部８５は、斜行補正部４１によって補正された画像データを画像メモリ３０から読み出し、印字部７０を制御することにより、読み出した画像データを記録紙に印字する。
【００６２】
このように、圧力センサ５０によって、原稿カバーであるオートドキュメントフィーダ部１１０が原稿載置部１２０のコンタクトガラス１２７に対して閉じられたとき、原稿載置部１２０に載置されている原稿Ｐからの圧力が検出され、原稿範囲特定部８１によって、検出された原稿Ｐからの圧力に基づいて原稿載置部１２０のコンタクトガラス１２７における原稿範囲が特定され、位置情報解析部８４によって、特定された原稿範囲に基づいて当該原稿Ｐの原稿載置部１２０のコンタクトガラス１２７における位置情報が解析される。そして、斜行補正部４１によって、解析された原稿の位置情報から、スキャンによって取得された画像データの原稿範囲に相当する原稿範囲画像が印字可能な位置に補正される。
【００６３】
したがって、圧力センサ５０によって原稿載置部１２０のコンタクトガラス１２７における原稿Ｐの範囲が特定されるので、複雑な画像処理を必要とせず、ユーザは、原稿載置部１２０のコンタクトガラス１２７に正確に原稿を置く手間を省くことができる。
【００６４】
また、原稿範囲特定部８１によって、原稿載置部１２０のコンタクトガラス１２７に載置されている原稿Ｐのサイズが、予め規定されている複数のサイズの中から特定されるので、予め規定されている複数のサイズのうちのどのようなサイズの原稿Ｐを載置したとしても正確に印字することができる。
【００６５】
また、スキャン範囲特定部８２によって、原稿載置部１２０のコンタクトガラス１２７の当該原稿Ｐに相当する範囲のみの画像データが取得されるので、スキャン光が原稿Ｐを含む範囲のみに照射され、原稿載置部１２０のコンタクトガラス１２７の全ての面にスキャン光を照射するよりもスキャン光に要する消費電力を削減することができ、スキャン光を照射する光ラインセンサ１２６の長寿命化を実現することができる。
【００６６】
さらに、圧力センサ５０が、オートドキュメントフィーダ部１１０の原稿載置部１２０のコンタクトガラス１２７に接触する面にマトリックス状に複数配置されており、原稿範囲特定部８１によって、各圧力センサ５０から出力される出力値に基づいて原稿載置部１２０のコンタクトガラス１２７における原稿範囲が特定される。したがって、原稿載置部１２０のコンタクトガラス１２７における原稿Ｐから受ける圧力に応じた出力値が複数の圧力センサ５０によって検出され、各圧力センサ５０からの出力値に基づいて原稿載置部１２０のコンタクトガラス１２７における原稿範囲を特定することができる。
【００６７】
さらにまた、位置情報解析部８４によって、特定された原稿範囲に基づいて原稿載置部１２０のコンタクトガラス１２７における原稿Ｐの位置座標が検出され、検出された位置座標が当該原稿Ｐの原稿載置部１２０のコンタクトガラス１２７における位置情報として用いられる。したがって、原稿載置部１２０のコンタクトガラス１２７における原稿Ｐの位置座標から、スキャンによって取得された画像データの原稿範囲に相当する原稿範囲画像を印字可能な位置に容易に補正することができる。
【００６８】
（第２の実施形態）
次に、本発明の第２の実施形態について説明する。第１の実施形態では、原稿範囲を特定し、特定された原稿範囲のみをスキャンするスキャン範囲を特定し、特定されたスキャン範囲のみをスキャンしているが、第２の実施形態では、コンタクトガラス１２７として遮光性の液晶コンタクトガラスを用い、原稿範囲を特定し、特定された原稿範囲のみを透過状態にしてスキャンする。
【００６９】
図９は、本発明の第２の実施形態に係る画像形成装置の電気的構成を示すブロック図である。図９に示すように、本画像形成装置は、画像データ取得部１０、Ａ／Ｄ変換部２０、画像メモリ３０、画像処理部４０、圧力センサ５０、操作部６０、印字部７０及び制御部８０を備えている。なお、図５に示す第１の実施形態における画像形成装置と同じ構成については、同じ符号を付し、説明を省略する。
【００７０】
図９に示す第２の実施形態における画像処理装置の制御部８０は、原稿範囲特定部８１、スキャン実行部８３、位置情報解析部８４、印字制御部８５及び透過範囲特定部８６を機能的に備えている。
【００７１】
透過範囲特定部８６は、原稿範囲特定部８１によって特定された原稿範囲から、遮光性の液晶コンタクトガラス板の当該原稿に相当する範囲を透過範囲として特定し、特定した透過範囲のみを透過状態にする。液晶コンタクトガラス板は、表面の所定の範囲のみの透光／遮光を切り換えることができる。なお、本実施形態において、透過範囲特定部８６が透過手段の一例に相当する。
【００７２】
次に、第２の実施形態における画像形成装置の動作について説明する。図１０は、図９に示す画像形成装置の動作について説明するためのフローチャートである。なお、図１０に示すステップＳ１１及びステップＳ１２の処理は、図６に示すステップＳ１及びステップＳ２の処理と同じであり、図１０に示すステップＳ１４〜ステップＳ１９の処理は、図６に示すステップＳ４〜ステップＳ９の処理と同じであるので説明を省略し、ステップＳ１３の処理についてのみ説明する。
【００７３】
ステップＳ１３において、透過範囲特定部８６は、原稿範囲特定部８１によって特定された原稿範囲の位置に基づいて、液晶コンタクトガラス板を透過させる透過範囲を特定し、特定した透過範囲のみを透過状態にする。
【００７４】
この場合、ステップＳ１６において、画像データ取得部１０は、液晶コンタクトガラス板の全面をスキャンするが、透過範囲特定部８６によって液晶コンタクトガラス板の透過範囲が特定され、液晶コンタクトガラス板の原稿に相当する範囲のみが透過状態に設定されているので、スキャン光による眩しさを低減することができる。
【図面の簡単な説明】
【００７５】
【図１】本発明にかかる画像読取装置を画像形成装置に適用したときの、画像形成装置の外観斜視図を示している。
【図２】図１に示す画像形成装置の内部構成図を示している。
【図３】圧力センサの配置について説明するための図である。
【図４】原稿を載置してオートドキュメントフィーダ部を閉じた場合のオートドキュメントフィーダ部の原稿載置部と接触する面を示す図である。
【図５】本発明の第１の実施形態に係る画像形成装置の電気的構成を示すブロック図である。
【図６】図５に示す画像形成装置の動作について説明するためのフローチャートである。
【図７】光ラインセンサがスキャンする範囲について説明するための図である。
【図８】斜行補正について説明するための図である。
【図９】本発明の第２の実施形態に係る画像形成装置の電気的構成を示すブロック図である。
【図１０】図９に示す画像形成装置の動作について説明するためのフローチャートである。
【符号の説明】
【００７６】
１０    画像データ取得部
２０    Ａ／Ｄ変換部
３０    画像メモリ
４０    画像処理部
４１    斜行補正部
５０    圧力センサ
６０    操作部
７０    印字部
８０    制御部
８１    原稿範囲特定部
８２    スキャン範囲特定部
８３    スキャン実行部
８４    位置情報解析部
８５    印字制御部
【図１】
2005277824.tif 000003
【図２】
2005277824.tif 000004
【図３】
2005277824.tif 000005
【図４】
2005277824.tif 000006
【図５】
2005277824.tif 000007
【図６】
2005277824.tif 000008
【図７】
2005277824.tif 000009
【図８】
2005277824.tif 000010
【図９】
2005277824.tif 000011
【図１０】
2005277824.tif 000012